(57)【要約】      （修正有）【課題】室内の所望壁面に飾られる絵画と同様に、壁面の任意個所に固定具を取着し、これに収納箱の小孔を掛合させて供するので、災害発生時の緊急時に、極めて容易に防災グッズが取出せる利便さがあり、壁面に装飾的に固定された額縁そのものが、防災グッズの収納箱であるため、邪魔になる虞れは皆無であり、緊急時に素早く防災グッズを取出せるようにする。【解決手段】裏側には、吊下げ用の小孔が適数個刻設され、内部には防災グッズが収容された所望形状の収納箱の表側より、有蓋で底面を開放した嵌合蓋が密接掛合されると共に、嵌合蓋の表側には、適宜装飾用部片が形成されている。【選択図】図２
0003109943.tif 000002
【実用新案登録請求の範囲】
【請求項１】
裏側には、吊下げ用の小孔（２）が適数個刻設され、内部には防災グッズ（Ａ）が収容された所望形状の収納箱（１）の表側より、有蓋で底面を開放した嵌合蓋（３）が密接掛合されると共に、嵌合蓋（３）の表側には、適宜装飾用部片（４）が形成されていることを特徴とする額型防災グッズ収納箱。
【請求項２】
防災グッズ（Ａ）が収容される収納箱（１）は、正方形、長方形その他の矩形若しくは円形の立体的外観を備える請求項１記載の額型防災グッズ収納箱。
【請求項３】
収納箱（１）の裏面に刻設された吊下げ用小孔（２）は、所望壁面（５）の吊下げに適する任意の一辺または他辺に設けられている請求項１記載の額型防災グッズ収納箱。
【請求項４】
嵌合蓋（３）の表面に設けられた装飾用部片（４）は、その表面全面または窓枠（６）を設けた内側に、所望の図柄模様（７）が描出されている請求項１記載の額型防災グッズ収納箱。
【請求項５】
嵌合蓋（３）を被覆せずに、防災グッズ（Ａ）が収納された収納箱（１）の表面そのものに、所望の図柄模様（７）を描出して、裏面の吊下げ用小孔（２）で以って所望壁面（５）に吊設させることを特徴とする額型防災グッズ収納箱。
【考案の詳細な説明】
【技術分野】
【０００１】
この考案は、台風や地震或いは洪水等の不時の災害が発生した際に、予め収容された防災グッズを素早く取出せ得る額型防災グッズ収納箱に関する。
【背景技術】
【０００２】
従来より、地震や台風、洪水、その他火災等の不時の災害が発生した場合を想定して、予め用意したリュックサックや避難用袋等の収納袋内に、避難用品、例えばローソク、マッチ、食料品、軍手、各種医療品、懐中電灯、ポリ袋、笛、その他適する防災グッズを収容し、しかる後、台所や居間、玄関等の持ち出し容易な場所にこれ等が保管されるものであるが、日時が経過するに従って、当初緊急非常事態が発生すれば瞬時に運び出させる様に保管されていた避難用品は、防災意識の希薄から、邪魔になって押入れの中等に押し込まれ、緊急事態に瞬時に取り出せない欠陥があった。本考案者は先きに特開平８−２６６３３５号の縫いぐるみ兼リュックサックと言う発明を提案し、疑似動物を摸した縫いぐるみの頭部分に、人間の頭部を挿入して、避難時の頭部損傷を未然に阻止し、リュックサック内部に緊急避難用品が収納された縫いぐるみは、ベッドサイド等の室内の身近な場所に装飾効果を発揮し乍ら置くことが出来る、と謂うものであるが、斯かる物品であっても、次第に押し入れ奥に収納されるのが現実である。
【特許文献１】特開平８−２６６３３５号公報
【考案の開示】
【考案が解決しようとする課題】
【０００３】
然るにこの考案が茲に開発した額型防災グッズ収納箱にあっては、既述従来の欠陥に鑑みて鋭意研究の結果に開発されたものであって、室内の所望壁面に飾られる絵画と同様に、壁面の任意個所に固定具を取着し、これに収納箱の小孔を掛合させて供するので、災害発生時の緊急時に、極めて容易に防災グッズが取出せる利便さがあり、壁面に装飾的に固定された額縁そのものが、防災グッズの収納箱であるため、邪魔になる虞れは皆無であり、緊急時に素早く防災グッズを取出せるものとなる。また収納箱表側の絵画やイラスト等は、容易に別のものに変更出来る、額型防災グッズ収納箱を提供することを目的とする。
【課題を解決するための手段】
【０００４】
上記した目的を有効に達成するがために、本考案になる額型防災グッズ収納箱にあっては、裏側には、吊下げ用の小孔２が適数個刻設され、内部には防災グッズＡが収容された所望形状の収納箱１の表側より、有蓋で底面を開放した嵌合蓋３が密接掛合されると共に、嵌合蓋３の表側には、適宜装飾用部片４が形成されている額型防災グッズ収納箱を特徴とし、また防災グッズＡが収容される収納箱１は、正方形、長方形その他の矩形若しくは円形の立体的外観を備える額型防災グッズ収納箱を特徴とし、また収納箱１の裏面に刻設された吊下げ用小孔２は、所望壁面５の吊下げに適する任意の一辺または他辺に設けられている額型防災グッズ収納箱を特徴とし、また嵌合蓋３の表面に設けられた装飾用部片４は、その表面全面または窓枠６を設けた内側に、所望の図柄模様７が描出されている額型防災グッズ収納箱を特徴とし、また嵌合蓋３を被覆せずに、防災グッズＡが収納された収納箱１の表面そのものに、所望の図柄模様７を描出して、裏面の吊下げ用小孔２で以って所望壁面５に吊設させる額型防災グッズ収納箱を特徴としているものである。
【考案の効果】
【０００５】
本考案によれば、室内の所望壁面に飾られる絵画と同様に、壁面の任意個所に所望固定具を取着し、これに収納箱の小孔を掛合させ、吊設して供するので、災害発生時の緊急時に、極めて容易に防災グッズが取出せる利便性があり、壁面に装飾的に固定された額縁そのものが、防災グッズの収納箱であるので、邪魔になる虞れは皆無であり、緊急避難時に素早く防災グッズを取出せるものとなる。また収納箱表側の絵画やイラスト等は、容易に別のものに適宜変更出来るものとなる。
【実施例】
【０００６】
次いでこの考案による額型防災グッズ収納箱に関する実施の一例について詳述する。
【０００７】
正方形や長方形、その他の矩形、若しくは楕円等の円形で、少なくとも物品が収納出来る立体的な外観を備えた収納箱１は、ボール紙等の比較的強靭な材質で組立てられて成るもので、その内部には防災用の避難用品、例えば、ローソク、マッチ、各種缶詰めその他の食料品、軍手、ほうたいその他の各種医療品、懐中電灯、ポリ袋、笛、その他必要とする防災グッズＡが収容されている。
【０００８】
斯かる収納箱１は、その裏側には、応接間、居間、台所、玄関その他任意の壁面５より突出せる所望の固定具に係脱自在とする、吊下げ用の小孔２が、収納箱１が矩形の場合は、その短辺と長辺適所に夫々ミシン目等によって一または複数個刻設されており、吊下げ時には前記適するミシン目を剥離して、固定具と係合させて、所望の壁面５に、通常の絵画等と同様に額縁として吊り下げて使用されるものである。
【０００９】
斯様な収納箱１の表側方向より、有蓋で底面を開放して成る嵌合蓋３を密接掛合させるのであるが、この際前記嵌合蓋３の表側には、適宜な装飾用部片４が形成されており、嵌合蓋３の表面全面に所望の図柄模様７例えば、絵画やイラスト等を施こし、または嵌合蓋３の表面に窓枠６を予め設けて、その内側の台紙に絵画やイラスト等の図柄模様７を描出して、装飾用部片４を製出するものである。斯様に収納箱１と嵌合蓋３とが密接掛合された防災グッズ収納箱は、適する壁面５に絵画等の装飾が施された額縁として吊り下げて飾れるものとなる。
【００１０】
既述した嵌合蓋３による被覆をせずに、防災グッズＡが収納された収納箱１の表面それ自体に、所望の図柄模様７を描出して、而して、収納箱１裏面の吊下げ用小孔２を壁面５の固定具に係合させて、壁面５より吊り下げて供する場合もあり、いずれも緊急時には、簡単に壁面５より収納箱を脱離させ、内部の防災グッズＡを瞬時に取出し可能となるものである。
【図面の簡単な説明】
【００１１】
【図１】収納箱の裏面一部切欠斜視図である。
【図２】嵌合蓋を壁面に吊り下げた斜視図である。
【図３】嵌合蓋を収納箱に嵌合させる状態を示す断面見取図である。
【符号の説明】
【００１２】
１      収納箱
２      小孔
３      嵌合蓋
４      装飾用部片
５      壁面
６      窓枠
７      図柄模様
Ａ      防災グッズ
【図１】
0003109943.tif 000003
【図２】
0003109943.tif 000004
【図３】
0003109943.tif 000005